【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
面光源と、
前記面光源からの光を標本に導くコンデンサレンズと、
前記面光源の像を前記コンデンサレンズの瞳面に形成するフィールドレンズ群と、
前記フィールドレンズ群の前側焦点位置に配置される視野絞りとを備えた顕微鏡用照明装置であって、
前記面光源は、発光部材と、前記発光部材からの光の入射方向とは異なる方向に前記光を伝播させつつ所定方向に射出させる光伝播部材と、前記光伝播部材から射出された光の配光角を制御して所定の強度分布を持たせて射出させる配光制御部材とを含み、
以下の条件式を満足することを特徴とする顕微鏡用照明装置。
（sinα）／β2＞ＮＡmax
ｄ×β2＞Φmax
但し、
β2：前記視野絞りから前記標本までの結像倍率、
ＮＡmax：前記コンデンサレンズの開口数の最大値、
Φmax：前記コンデンサレンズの実視野の最大値、
ｄ：前記面光源の前記射出面に内接する円の直径、
α：前記面光源からの光のうち最高強度を有する光路と前記最高強度の８割の強度を有する光路とが成す角度。
【請求項２】
請求項１に記載の顕微鏡用照明装置と、
前記顕微鏡用照明装置から射出され、前記標本を透過した光を集光する対物レンズと、
前記対物レンズにより形成される前記標本の像を観察するための接眼レンズとを備えた顕微鏡であって、
以下の条件式を満足することを特徴とする顕微鏡。
ｆb2／（β22×Ｍ×Ｌ）＜１００
但し、
Ｍ：前記標本から前記接眼レンズによる像までの結像倍率、
ｆb：前記接眼レンズの焦点距離、
Ｌ：前記視野絞りから前記面光源の前記射出面までの距離。
【請求項３】
前記面光源は、前記視野絞りから１５mmよりも遠く離れた位置に配置されることを特徴とする請求項２に記載の顕微鏡。
【請求項４】
面光源と、
前記面光源からの光を標本に導くとともに、前記標本からの光を集光する対物レンズと、
前記面光源の像を前記対物レンズの瞳面に形成するフィールドレンズ群と、
前記対物レンズからの光を結像し、前記標本の像を形成する結像レンズとを備えた顕微鏡であって、
前記面光源は、発光部材と、前記発光部材からの光の入射方向と異なる方向に伝播させつつ所定方向に射出させる光伝播部材と、前記光伝播部材から射出された光の配光角を制御して所定の強度分布を持たせて射出させる配光制御部材とを含み、
以下の条件式を満足することを特徴とする顕微鏡。
β＞（ＮＡ´×ｆt×２）／ｄ
α／β＞arctan{ＦＯＶ／（２×ｆt）}
但し、
β：前記面光源から前記対物レンズの瞳面までの結像倍率、
ＮＡ´：前記対物レンズの開口数を前記対物レンズの倍率で除した値の最大値、
ｆt：前記結像レンズの焦点距離、
ｄ：前記面光源の前記射出面に内接する円の直径、
α：前記面光源からの光のうち最高強度を有する光路と前記最高強度の８割の強度を有する光路とが成す角度、
ＦＯＶ：前記顕微鏡の視野数。
【手続補正２】
【補正対象書類名】明細書
【補正対象項目名】発明の名称
【補正方法】変更
【補正の内容】
【発明の名称】顕微鏡用照明装置及び顕微鏡
【手続補正３】
【補正対象書類名】明細書
【補正対象項目名】００１０
【補正方法】変更
【補正の内容】
【００１０】
本発明は、このような問題に鑑みてなされたものであり、照明系の全長を短くしコンパクトに構成することが可能な顕微鏡用照明装置及び顕微鏡を提供することを目的とする。
【手続補正４】
【補正対象書類名】明細書
【補正対象項目名】００１１
【補正方法】変更
【補正の内容】
【００１１】
このような目的を達成するため、本発明に係る顕微鏡用照明装置（透過照明装置）は、面光源と、前記面光源からの光を標本に導くコンデンサレンズと、前記面光源の像を前記コンデンサレンズの瞳面に形成するフィールドレンズ群と、前記フィールドレンズ群の前側焦点位置に配置される視野絞りとを備えた顕微鏡用照明装置であって、前記面光源は、発光部材と、前記発光部材からの光の入射方向とは異なる方向に前記光を伝播させつつ所定方向に射出させる光伝播部材と、前記光伝播部材から射出された光の配光角を制御して所定の強度分布を持たせて射出させる配光制御部材とを含み、前記視野絞りから前記標本までの結像倍率をβとし、前記コンデンサレンズの開口数の最大値をＮＡmaxとし、前記コンデンサレンズの実視野の最大値をΦmaxとし、前記面光源の前記射出面に内接する円の直径をｄとし、前記面光源からの光のうち最高強度を有する光路と前記最高強度の８割の強度を有する光路とが成す角度をαとしたとき、次式（sinα）／β＞ＮＡmaxおよびｄ×β＞Φmaxを満足することを特徴とする。
【手続補正５】
【補正対象書類名】明細書
【補正対象項目名】００１２
【補正方法】変更
【補正の内容】
【００１２】
本発明に係る顕微鏡は、上記の顕微鏡用照明装置と、前記顕微鏡用照明装置から射出され、前記標本を透過した光を集光する対物レンズと、前記対物レンズにより形成される前記標本の像を観察するための接眼レンズとを備えた顕微鏡であって、前記標本から前記標本の前記接眼レンズによる像までの結像倍率をＭとし、前記接眼レンズの焦点距離をｆbとし、前記視野絞りから前記面光源の前記射出面までの距離をＬとし、次式ｆb2／（β2×Ｍ×Ｌ）＜１００を満足することを特徴とする。
【手続補正６】
【補正対象書類名】明細書
【補正対象項目名】００１３
【補正方法】変更
【補正の内容】
【００１３】
本発明に係る顕微鏡において、前記面光源は、前記視野絞りから１５mmよりも遠く離れた位置に配置されることが好ましい。
【手続補正７】
【補正対象書類名】明細書
【補正対象項目名】００１４
【補正方法】変更
【補正の内容】
【００１４】
また、本発明に係る顕微鏡（反射照明装置）は、面光源と、前記面光源からの光を標本に導くとともに、前記標本からの光を集光する対物レンズと、前記面光源の像を前記対物レンズの瞳面に形成するフィールドレンズ群と、前記対物レンズからの光を結像し、前記標本の像を形成する結像レンズとを備えた顕微鏡であって、前記面光源は、発光部材と、前記発光部材からの光の入射方向と異なる方向に伝播させつつ所定方向に射出させる光伝播部材と、前記光伝播部材から射出された光の配光角を制御して所定の強度分布を持たせて射出させる配光制御部材とを含み、前記面光源から前記対物レンズの瞳面までの結像倍率をβとし、前記対物レンズの開口数を前記対物レンズの倍率で除した値の最大値をＮＡ´とし、前記結像レンズの焦点距離をｆtとし、前記面光源の前記射出面に内接する円の直径をｄとし、前記面光源からの光のうち最高強度を有する光路と前記最高強度の８割の強度を有する光路とが成す角度をαとし、前記顕微鏡の視野数をＦＯＶとしたとき、次式β＞（ＮＡ´×ｆt×２）／ｄおよびα／β＞arctan{ＦＯＶ／（２×ｆt）}を満足することを特徴とする。
【手続補正８】
【補正対象書類名】明細書
【補正対象項目名】００１５
【補正方法】変更
【補正の内容】
【００１５】
本発明に係る顕微鏡（請求項４が該当）によれば、光源を開口絞り近傍の位置に配置することにより、従来あった開口絞りより光源側の光学系を省略することが可能となり、照明系をコンパクトに構成することができる
【手続補正９】
【補正対象書類名】明細書
【補正対象項目名】００１６
【補正方法】変更
【補正の内容】
【００１６】
また、本発明に係る顕微鏡（請求項１〜３が該当）によれば、光源を視野絞り近傍の位置に配置することにより、従来あった視野絞りより光源側の光学系を省略することが可能となり、照明系をコンパクトに構成することができる。
【手続補正１０】
【補正対象書類名】明細書
【補正対象項目名】００１８
【補正方法】変更
【補正の内容】
【００１８】
以下、第１実施形態の反射照明装置、及び、第２実施形態の透過照明装置について、図面を参照しながら説明する。これらの実施形態は特許請求の範囲に係る発明を限定するものではない。また、実施形態の中で説明されている構成及び特徴の組み合わせの全てが発明の解決手段に必須であるとは限らない。第１実施形態における反射照明装置は不透明な細胞等の標本を光を反射させることにより観察することが可能な顕微鏡であり、第２実施形態における透過照明装置は透明な細胞等の標本を光を透過させることにより観察することが可能な顕微鏡である。
【手続補正１１】
【補正対象書類名】明細書
【補正対象項目名】００５３
【補正方法】変更
【補正の内容】
【００５３】
１  光源（第１実施形態）
５  開口絞り（第１実施形態）
６  視野絞り（第１実施形態）
７  フィールドレンズ群（第１実施形態）
９  第１対物レンズ（第１実施形態）
１０  標本（第１実施形態）
１１  第２対物レンズ（第１実施形態）
２０  ＬＥＤ光源（第１実施形態）
２２  ライトガイド（第１実施形態）
２３  散乱シート（第１実施形態）
２４，２５  プリズムシート（第１実施形態）
３１，５１  光源（第２実施形態）
３５，５５  開口絞り（第２実施形態）
３６，５６  視野絞り（第２実施形態）
３７，５７  フィールドレンズ群（第２実施形態）
３９，５９  コンデンサレンズ（第２実施形態）
４０，６０  標本（第２実施形態）
４１，６１  対物レンズ（第２実施形態）
７０  ＬＥＤ光源（第２実施形態）
７２  ライトガイド（第２実施形態）
７３  散乱シート（第２実施形態）
７４，７５  プリズムシート（第２実施形態）